【手続補正書】
【提出日】令和2年4月24日(2020.4.24)
【手続補正１】
【補正対象書類名】特許請求の範囲
【補正対象項目名】全文
【補正方法】変更
【補正の内容】
【特許請求の範囲】
【請求項１】
コンピュータ実行可能命令を含むプログラムであって、前記コンピュータ実行可能命令は、コンピュータのプロセッサによって実行されると、前記コンピュータに、
店舗における宣伝用ディスプレイ空間のためのスケジュールデータ構造を生成するようにとの要求を受取ったことに応じて、
ネットワーク通信を介してデータベースから売上げデータ構造にアクセスさせ、前記売上げデータ構造は、前記要求において識別される前記店舗に対応しており、
（ｉ）前記店舗によって販売されている複数の商品と、
（ｉｉ）前記複数の商品の各々についての売上げ記録と、についてのデータ記録を含み、前記複数の商品の各々は、複数の製品カテゴリのうちの１つに属する複数のサブカテゴリのうちの１つに割当てられており、さらに、
前記複数のサブカテゴリの各々に関連付けられた前記商品についての前記売上げ記録を分析して、他のサブカテゴリに対する前記複数のサブカテゴリの各々についてのサブカテゴリ利益貢献度スコアを計算させ、
前記宣伝用ディスプレイ空間に配置されるべき商品の候補サブカテゴリとして第１のサブカテゴリを前記複数のサブカテゴリから選択させ、前記第１のサブカテゴリの選択は、
（ｉ）前記第１のサブカテゴリの前記サブカテゴリ利益貢献度スコアが他のサブカテゴリ利益貢献度スコアよりも大きいことと、
（ｉｉ）［ｉ］前記第１のサブカテゴリが属する第１の製品カテゴリの宣伝用ディスプレイ履歴、［ｉｉ］前記第１のサブカテゴリの宣伝用ディスプレイ履歴、または［ｉｉｉ］前記店舗の保管容量、うちの少なくとも１つに対応する１つ以上のディスプレイ最適化フィルタと、に基づいてなされ、さらに、
前記候補サブカテゴリに属する前記商品についての前記売上げデータ構造からの前記売上げ記録を分析して、前記候補サブカテゴリに割当てられた前記商品の各々についての商品利益貢献度スコアを計算させ、
前記第１の商品の前記商品利益貢献度スコアが前記候補サブカテゴリからの他の商品利益貢献度スコアよりも大きいことに基づいて、前記宣伝用ディスプレイ空間に配置されるべき第１の商品を前記候補サブカテゴリから選択させ、
前記第１の商品を前記宣伝用ディスプレイ空間に配置させるように前記第１の商品を前記宣伝用ディスプレイ空間に割当てる前記スケジュールデータ構造を前記プロセッサによって生成させる、プログラム。
【請求項２】
前記１つ以上のディスプレイ最適化フィルタは、
（ｉ）製品カテゴリの商品を１つ以上の宣伝用ディスプレイ空間に割当てるための限界周波数を規定する第１のディスプレイ最適化フィルタ、
（ｉｉ）サブカテゴリの商品を１つ以上の宣伝用ディスプレイ空間に割当てるための限界周波数を規定する第２のディスプレイ最適化フィルタ、
または、
（ｉｉｉ）前記店舗における宣伝用ディスプレイ空間の容量を規定する第３のディスプレイ最適化フィルタ、
のうち少なくとも１つを含む、請求項１に記載のプログラム。
【請求項３】
前記複数のサブカテゴリの各々に関連付けられた前記商品についての前記売上げ記録を分析して、他のサブカテゴリに対する前記複数のサブカテゴリの各々についての前記サブカテゴリ利益貢献度スコアを計算するようにとの前記コンピュータ実行可能命令はさらに、前記プロセッサによって実行されると、前記コンピュータに、
前記第１のサブカテゴリについての第１の未処理サブカテゴリスコアを計算させ、
前記第１の製品カテゴリに属する第２のサブカテゴリについての第２の未処理サブカテゴリスコアを計算させ、
前記第１の製品カテゴリについての基準点として前記第２の未処理サブカテゴリスコアを選択させ、
前記第１の未処理サブカテゴリスコアと前記第２の未処理サブカテゴリスコアとの比較に基づいて前記第１のサブカテゴリについての第１の相対サブカテゴリスコアを計算させ、
第２の製品カテゴリに属する第３のサブカテゴリについての第３の相対サブカテゴリスコアに対する前記第１の相対サブカテゴリスコアの比較に基づいて、前記第１のサブカテゴリについての前記サブカテゴリ利益貢献度スコアを計算させる、
コンピュータ実行可能命令を含む、請求項１または２に記載のプログラム。
【請求項４】
前記販売データ構造はさらに、
前記第１の商品が前記第１のサブカテゴリに割当てられ、
前記第１のサブカテゴリが前記第１の製品カテゴリに属し、
第２の商品が第２のサブカテゴリに割当てられ、
前記第２のサブカテゴリが第２の製品カテゴリに属している、
場合についてのデータ記録を含む、請求項１から３のいずれか一項に記載のプログラム。
【請求項５】
前記スケジュールデータ構造を生成するようにとの前記コンピュータ実行可能命令はさらに、前記プロセッサによって実行されると、前記コンピュータに、
第１の開始時間から第１の終了時間までの第１の期間にわたって、前記宣伝用ディスプレイ空間に前記第１の商品を割当てさせ、前記店舗における第２の宣伝用ディスプレイ空間に前記第２の商品を割当てさせ、
第２の開始時間から第２の終了時間までの第２の期間にわたって、前記宣伝用ディスプレイ空間に第３の商品を割当てさせ、前記第２の宣伝用ディスプレイ空間に第４の商品を割当てさせる、
コンピュータ実行可能命令を含む、請求項４に記載のプログラム。
【請求項６】
前記複数のサブカテゴリの各々に関連付けられる前記商品についての前記売上げ記録を分析して、他のサブカテゴリに対する前記複数のサブカテゴリの各々についての前記サブカテゴリ利益貢献度スコアを計算するようにとの前記コンピュータ実行可能命令はさらに、前記プロセッサによって実行されると、前記コンピュータに、
前記第１のサブカテゴリに割当てられた第３の商品について、前記第３の商品が宣伝用ディスプレイ空間に割当てられたときの１つ以上の期間に対応する第１の売上げ記録を識別させ、
前記第３の商品について、前記第３の商品が非宣伝用ディスプレイ空間に割当てられていたが宣伝用ディスプレイ空間には割当てられていなかったときの１つ以上の期間に対応する第２の売上げ記録を識別させ、
前記第１の売上げ記録と前記第２の売上げ記録との比較に基づいて前記サブカテゴリ利益貢献度スコアを計算させる、
コンピュータ実行可能命令を含む、請求項１から５のいずれか一項に記載のプログラム。
【請求項７】
前記候補サブカテゴリに属する前記商品についての前記売上げデータ構造からの前記売上げ記録を分析して、前記候補サブカテゴリに割当てられた前記商品の各々についての前記商品利益貢献度スコアを計算するようにとの前記コンピュータ実行可能命令はさらに、前記プロセッサによって実行されると、前記コンピュータに、
前記第１の商品について、前記第１の商品が宣伝用ディスプレイ空間に割当てられたときの１つ以上の期間に対応する第１の売上げ記録を識別させ、
前記第１の商品について、前記第１の商品が非宣伝用ディスプレイ空間に割当てられているが前記宣伝用ディスプレイ空間には割当てられていなかったときの１つ以上の期間に対応する第２の売上げ記録を識別させ、
前記第１の売上げ記録と前記第２の売上げ記録との比較に基づいて前記第１の商品についての前記商品利益貢献度スコアを計算させる、
コンピュータ実行可能命令を含む、請求項１から５のいずれか一項に記載のプログラム。
【請求項８】
コンピューティングシステムであって、
メモリに接続されたプロセッサと、
非一時的なコンピュータ読取り可能媒体に格納されるスケジューリングモジュールとを含み、前記スケジューリングモジュールは、前記プロセッサによって実行されると、前記プロセッサに、
店舗における宣伝用ディスプレイ空間のためのスケジュールデータ構造を生成するようにとの要求を受取ったことに応じて、
ネットワーク通信を介してデータベースから売上げデータ構造にアクセスさせ、前記売上げデータ構造は、前記要求において識別される前記店舗に対応しており、
（ｉ）前記店舗によって販売される複数の商品と、
（ｉｉ）前記複数の商品の各々についての前記売上げ記録と、についてのデータ記録を含み、前記複数の商品の各々は、複数の製品カテゴリのうちの１つに属する複数のサブカテゴリのうちの１つに割当てられており、さらに、
前記複数のサブカテゴリの各々に関連付けられた前記商品についての前記売上げ記録を分析して、他のサブカテゴリに対する前記複数のサブカテゴリの各々についてのサブカテゴリ利益貢献度スコアを計算させ、
前記宣伝用ディスプレイ空間に配置されるべき商品の候補サブカテゴリとして第１のサブカテゴリを前記複数のサブカテゴリから選択させ、前記第１のサブカテゴリの選択は、
（ｉ）前記第１のサブカテゴリの前記サブカテゴリ利益貢献度スコアが他のサブカテゴリ利益貢献度スコアよりも大きいことと、
（ｉｉ）１つ以上のディスプレイ最適化フィルタと、に基づいてなされ、さらに、
前記候補サブカテゴリに属する前記商品についての前記売上げデータ構造からの前記売上げ記録を分析して、前記候補サブカテゴリに割当てられた前記商品の各々についての商品利益貢献度スコアを計算させ、
前記第１の商品の前記商品利益貢献度スコアが前記候補サブカテゴリからの他の商品利益貢献度スコアよりも大きいことに基づいて、前記宣伝用ディスプレイ空間に配置されるべき第１の商品を前記候補サブカテゴリから選択させ、
前記宣伝用ディスプレイ空間に前記第１の商品を配置させるように前記第１の商品を前記宣伝用ディスプレイ空間に割当てる前記スケジュールデータ構造を生成させる、
命令で構成されている、コンピューティングシステム。
【請求項９】
前記１つ以上のディスプレイ最適化フィルタは、
（ｉ）製品カテゴリの商品を１つ以上の宣伝用ディスプレイ空間に割当てるための限界周波数を規定する第１のディスプレイ最適化フィルタ、
（ｉｉ）サブカテゴリの商品を１つ以上の宣伝用ディスプレイ空間に割当てるための限界周波数を規定する第２のディスプレイ最適化フィルタ、または、
（ｉｉｉ）前記店舗における宣伝用ディスプレイ空間の容量を規定する第３のディスプレイ最適化フィルタ、
のうち少なくとも１つを含む、請求項８に記載のコンピューティングシステム。
【請求項１０】
前記複数のサブカテゴリの各々に関連付けられた前記商品についての前記売上げ記録を分析して、他のサブカテゴリに対する前記複数のサブカテゴリの各々についての前記サブカテゴリ利益貢献度スコアを計算するようにとの前記命令はさらに、前記プロセッサによって実行されると、前記プロセッサに、
前記第１のサブカテゴリについての第１の未処理サブカテゴリスコアを計算させ、
前記第１の製品カテゴリに属する第２のサブカテゴリについての第２の未処理サブカテゴリスコアを計算させ、
前記第１の製品カテゴリについての基準点として前記第２の未処理サブカテゴリスコアを選択させ、
前記第１の未処理サブカテゴリスコアと前記第２の未処理サブカテゴリスコアとの比較に基づいて前記第１のサブカテゴリについての第１の相対サブカテゴリスコアを計算させ、
第２の製品カテゴリに属する第３のサブカテゴリについての第３の相対サブカテゴリスコアに対する前記第１の相対サブカテゴリスコアの比較に基づいて、前記第１のサブカテゴリについての前記サブカテゴリ利益貢献度スコアを計算させる、
命令を含む、請求項８または９に記載のコンピューティングシステム。
【請求項１１】
前記売上げデータ構造はさらに、
前記第１の商品が前記第１のサブカテゴリに割当てられ、
前記第１のサブカテゴリが前記第１の製品カテゴリに属し、
前記第２の商品が第２のサブカテゴリに割当てられ、
前記第２のサブカテゴリが第２の製品カテゴリに属している、
場合についてのデータ記録を含む、請求項８〜１０のいずれかに記載のコンピューティングシステム。
【請求項１２】
前記スケジュールデータ構造を生成するようにとの前記命令は、前記プロセッサによって実行されると、前記プロセッサに、
第１の開始時間から第１の終了時間までの第１の期間にわたって、前記宣伝用ディスプレイ空間に前記第１の商品を割当て、前記店舗における第２の宣伝用ディスプレイ空間に前記第２の商品を割当てさせ、
第２の開始時間から第２の終了時間までの第２の期間にわたって、前記宣伝用ディスプレイ空間に第３の商品を割当て、前記第２の宣伝用ディスプレイ空間に第４の商品を割当てさせる、
命令を含む、請求項８〜１１のいずれかに記載のコンピューティングシステム。
【請求項１３】
前記複数のサブカテゴリの各々に関連付けられた前記商品についての前記売上げ記録を分析して、他のサブカテゴリに対する前記複数のサブカテゴリの各々についての前記サブカテゴリ利益貢献度スコアを計算するようにとの前記命令はさらに、前記プロセッサによって実行されると、前記プロセッサに、
前記第１のサブカテゴリに割当てられた第３の商品について、前記第３の商品が宣伝用ディスプレイ空間に割当てられたときの１つ以上の期間に対応する第１の売上げ記録を識別させ、
前記第３の商品について、前記第３の商品が非宣伝用ディスプレイ空間に割当てられていたが宣伝用ディスプレイ空間には割当てられていなかったときの１つ以上の期間に対応する第２の売上げ記録を識別させ、
前記第１の売上げ記録と前記第２の売上げ記録との比較に基づいて前記サブカテゴリ利益貢献度スコアを計算させる、
命令を含む、請求項８〜１２のいずれかに記載のコンピューティングシステム。
【請求項１４】
前記候補サブカテゴリに属する前記商品についての前記売上げデータ構造からの前記売上げ記録を分析して、前記候補サブカテゴリに割当てられた前記商品の各々についての前記商品利益貢献度スコアを計算するようにとの前記命令はさらに、前記プロセッサによって実行されると、前記プロセッサに、
前記第１の商品について、前記第１の商品が宣伝用ディスプレイ空間に割当てられたときの１つ以上の期間に対応する第１の売上げ記録を識別させ、
前記第１の商品について、前記第１の商品が非宣伝用ディスプレイ空間に割当てられていたが前記宣伝用ディスプレイ空間には割当てられていなかったときの１つ以上の期間に対応する第２の売上げ記録を識別させ、
前記第１の売上げ記録と前記第２の売上げ記録との比較に基づいて前記第１の商品についての前記商品利益貢献度スコアを計算させる、
命令を含む、請求項８〜１３のいずれかに記載のコンピューティングシステム。
【請求項１５】
プロセッサを含むコンピューティングデバイスによって実行される、コンピュータによって実現される方法であって、
店舗における宣伝用ディスプレイ空間のためのスケジュールデータ構造を生成するようにとの要求を受取ったことに応じて、
少なくとも前記プロセッサによって、ネットワーク通信を介してデータベースから売上げデータ構造にアクセスするステップを含み、前記売上げデータ構造は、前記要求において識別される前記店舗に対応しており、
（ｉ）前記店舗によって販売されている複数の商品と、
（ｉｉ）前記複数の商品の各々についての売上げ記録と、についてのデータ記録を含み、前記複数の商品の各々は、複数の製品カテゴリのうちの１つに属する複数のサブカテゴリのうちの１つに割当てられており、前記コンピュータによって実現される方法はさらに、
少なくとも前記プロセッサによって、前記複数のサブカテゴリの各々に関連付けられた前記商品についての前記売上げ記録を分析して、前記複数のサブカテゴリの各々についてのサブカテゴリ利益貢献度スコアを計算するステップと、
前記第１のサブカテゴリの前記サブカテゴリ利益貢献度スコアが他のサブカテゴリ利益貢献度スコアよりも大きいことに基づいて、前記宣伝用ディスプレイ空間に配置されるべき商品の候補サブカテゴリとして第１のサブカテゴリを、前記少なくともプロセッサによって、前記複数のサブカテゴリから選択するステップと、
前記少なくともプロセッサによって、前記候補サブカテゴリに属する前記商品についての前記売上げデータ構造からの前記売上げ記録を分析して、前記候補サブカテゴリに割当てられた前記商品の各々についての商品利益貢献度スコアを計算するステップと、
前記第１の商品の前記商品利益貢献度スコアが前記候補サブカテゴリからの他の商品利益貢献度スコアよりも大きいことに基づいて、前記宣伝用ディスプレイ空間に配置されるべき第１の商品を、前記少なくともプロセッサによって、前記候補サブカテゴリから選択するステップと、
前記宣伝用ディスプレイ空間に前記第１の商品を配置させるように前記第１の商品を前記宣伝用ディスプレイ空間に割当てる前記スケジュールデータ構造を前記プロセッサによって生成するステップと、を含む、コンピュータによって実現される方法。